(57)【要約】      （修正有）【課題】リールの取り付け位置を必要に応じて変えることや、リールシートが破損した場合には、簡単に取り換えることが可能なように着脱自在なリールシートを提供する。【解決手段】リール脚部を本体２に固定するリールシート１において、上記本体２は、先端にゆくほど外径が小さくなり、先端寄りに切欠き溝１３が形成された緩斜部、及び外周に雄螺子が形成された螺子部を有し、長さ方向外側に延伸する延伸部材が形成されたものであり、上記螺子部に螺合する雌螺子が内周面の一端寄りに形成され、他端寄りは、内径が、端に近いほど小さくなった縮径部材を備え、該縮径部材を前延伸部材に被せて回転させることにより、すぼまった上記緩斜部が上記釣竿に密着して、上記本体が上記釣竿に着脱自在に固定される。【選択図】図１
2020202779.tif 000002
【特許請求の範囲】
【請求項１】
釣竿が挿通する筒状の本体の一端寄りに、該本体に載置するリール脚部の一端を挿入する固定フードが設置され、他端寄りに、該本体外周に形成された雄螺子に螺合して移動する螺子環及び該螺子環に回動自在に嵌合して、該リール脚部の他端に被さる可動フードが設置され、該可動フードの内面に形成された突起部が該本体外面に形成された回り止め溝を移動して、該リール脚部を該本体に固定するリールシートにおいて、
前記本体は、先端にゆくほど外径が小さくなり、先端寄りに切欠き溝が形成された緩斜部、及び外周に雄螺子が形成された螺子部を有し、長さ方向外側に延伸する延伸部材が形成されたものであり、
前記螺子部に螺合する雌螺子が内周面の一端寄りに形成され、他端寄りは、内径が、端に近いほど小さくなった縮径部材を備え、該縮径部材を前延伸部材に被せて回転させることにより、すぼまった前記緩斜部が前記釣竿に密着して、前記本体が前記釣竿に着脱自在に固定されることを特徴とするリールシート。
【請求項２】
前記縮径部材の前記他端の内径は、前記釣竿の外径よりも大きく、前記緩斜部先端の外径よりも小さいことを特徴とする請求項１記載のリールシート。
【請求項３】
前記延伸部材は、前記本体の両側に延伸したものであって、前記縮径部材を少なくとも２つ備えたことを特徴とする請求項１又は２記載のリールシート。
【発明の詳細な説明】
【技術分野】
【０００１】
本発明は、釣竿に取り付けた位置をずらすことも、着脱することも自在なリールシートに関する。
【背景技術】
【０００２】
リールを取り付ける釣竿には、釣糸を竿管の中を通す中通し竿と、竿管に取り付けた釣糸ガイドに通す外通し竿とがあるが、中通し竿は、竿管に釣糸を通す糸通しや、糸仕舞が面倒なため、外通し竿が多用されている。
釣竿にリールを固定するには、固定フードと可動フードとが対向配置されたリールシートを釣竿に固定設置し、リールの脚部を固定フードと可動フードでしっかりと挟み込んで固定する。
リールシートには、プレートシートとパイプシートとがあり、プレートシートは、可動フードのカバーを上げてロックを外し、スライドさせてリールの脚部を双方のフードに挿入してカバーを下げてロックする構造であり、リールに強い力が加わらない、主にエサ釣り用に使用される。一方、パイプシートは、可動フードに嵌合した螺子環がパイプシート外面の雄螺子に螺合するように構成されているので、その螺子環を回して可動フードを移動させて、リールの脚部をしっかりと固定することができる。従って、リールに強い力が加わっても継続してリール操作が可能であり、ルアー釣りに使用される（特許文献１）。
その場合、可動フードをリールシートの長さ方向だけに移動させて、回転するのを阻止するために、リールシートの長さ方向に回り止め溝を設け、可動フード内面に、その溝に嵌合する係合突起を設けたものが開示されている（特許文献２）
また、リール操作を安定した状態で行えるように、指をひっかけるトリガと称する突起をリールシートの軸方向に移動可能、かつ任意の個所に固定可能に設けるため、リールシートを半割筒状にしたもの（特許文献３）や、トリガ自体を着脱自在にしてカストマイズできるようにしたもの（特許文献４）が開示されている。
さらに、プレートシートの摺動性を向上させるために、シート本体をチタン製にし、可動フードをステンレス製にしたもの（特許文献５）や、可動フードの被せフードを長さ方向に向けて漸次外側が大きく膨らむように形成すると、可動フード部がリールの脚部に密着しにくいので、被せフードの幅方向両端部に脚部を支える一対の座部を設けたもの（特許文献６）が開示されている。
【先行技術文献】
【特許文献】
【０００３】
【特許文献１】実公昭５７−１９７８７９号公報
【特許文献２】実公平３−１３１８６号公報
【特許文献３】特許第４４１２６９３号公報
【特許文献４】特開２０１８−２７０５３号公報
【特許文献５】特許第４１４８５１０号公報
【特許文献６】特許第４１５９４０４号公報
【発明の概要】
【発明が解決しようとする課題】
【０００４】
しかしながら、リールシートにリールがしっかりと固定されても、釣竿にリールシート自体がしっかり固定されていなければ、引きの強い魚がかかったときに位置ずれしたり、回転したりする恐れがある。
そこで、釣竿に糸を巻いて隙間をなくし、接着剤で固定することや、釣竿にコルクアーバーなどを取り付けて隙間をなくし、接着剤で接着して釣竿にリールシートをしっかりと固定している。従って釣竿に、リールシートが取り付けられた後に、それを取り外すことや、位置をずらすことはできない。
竿を振って投げ釣りをする際に、竿尻に近い位置にリールが取り付けてあると、リールを手で押さえるのが容易である。しかし、引きの強い魚がかかったときは、竿尻に近い位置にリールがあると竿自体を支えるのが大変なので、竿先寄りにある方がよい。また、リールの脚部の形状や大きさが被せフードに合っていないとガタが生じるので、ねじ環を無理に回すなどして、リールシートを破損することがある。しかし、リールシートが接着剤で固定されていると修理が困難なため、竿ごと取り換えることとなり、リールシート自体の価格よりもはるかに高額な費用がかかってしまう。
本発明は、かかる事情に鑑み、リールの取り付け位置を必要に応じて自在に変えることや、破損した場合には、それ自体を簡単に取り換えられるように、釣竿に着脱自在なリールシートを提供することを目的とする。
【課題を解決するための手段】
【０００５】
本発明のリールシートは、釣竿が挿通する筒状の本体の一端寄りに、該本体に載置するリール脚部の一端を挿入する固定フードが設置され、他端寄りに、該本体外周に形成された雄螺子に螺合して移動する螺子環及び該螺子環に回動自在に嵌合して、該リール脚部の他端に被さる可動フードが設置され、該可動フードの内面に形成された突起部が該本体外面に形成された回り止め溝を移動して、該リール脚部を該本体に固定するリールシートにおいて、上記本体は、先端にゆくほど外径が小さくなり、先端寄りに切欠き溝が形成された緩斜部、及び外周に雄螺子が形成された螺子部を有し、長さ方向外側に延伸する延伸部材が形成されたものであり、上記螺子部に螺合する雌螺子が内周面の一端寄りに形成され、他端寄りは、内径が、端に近いほど小さくなった縮径部材を備え、該縮径部材を前延伸部材に被せて回転させることにより、すぼまった上記緩斜部が上記釣竿に密着して、上記本体が上記釣竿に着脱自在に固定されることを特徴とする。
その場合、上記縮径部材の上記他端の内径は、上記釣竿の外径よりも大きく、上記緩斜部先端の外径よりも小さいので、縮径部材を雄螺子部に螺合させて回転すれば、緩斜部先端をすぼめることができる。
このように、本体には、先端にゆくほど外径が小さくなり、その先端寄りに切欠き溝が形成された緩斜部、及び外周に雄螺子が形成された螺子部を有し、長さ方向外側に延伸する延伸部材が形成され、その延伸部材に先端内径が端に行くほど小さくなった縮径部材を被せて螺合させれば、緩斜部のすぼまった先端が、釣竿に密着するので、その摩擦力でリールシートが釣竿に固定される。
また、縮径部材を逆回転させて雄螺子部への螺合を緩めれば、摩擦力がなくなるのでリールシートを釣竿から外すことができる。すなわち、縮径部材と雄螺子部との螺合をきつくすれば、リールシートが釣竿に固定され、縮径部材と雄螺子部との螺合を緩めれば、リールシートを釣竿から取り外すことが出来るので、リールシートが着脱自在になる。
ここで、上記延伸部材は、上記本体の両側に延伸していれば、上記縮径部材を少なくとも２つ備える必要があるが、上記延伸部材は、何れか一方に延伸させてもよく、その場合は、上記縮径部材は少なくとも１つ備えればよい。
【発明の効果】
【０００６】
本発明のリールシートによれば、縮径部材を回して緩めれば、リールシートの位置をずらすことが簡単にできるので、引きの強い魚を狙うときは、竿を持つ支点を変えることや、投げ釣りする際には竿尻寄りにずらして、リールに手を添えることが容易にできるようにするなど、状況に応じて、リールの位置を調整できる。また、縮径部材を回して延伸部材から取り外せば、釣竿からリールシートを取り外すことができるので、リールシートが破損しても、リールシートだけを取替えて簡単に修復することができる。
【図面の簡単な説明】
【０００７】
【図１】図１は、本実施形態のリールシートを示す外観図である。
【図２】図２は、本実施形態のリールシートを示す断面図である。
【図３】図３は、螺子環に嵌合する可動フードを示す正面図である。
【図４】図４は、螺子環に嵌合する可動フードを示す側面図である。
【図５】図５は、固定フード側の延伸部材の正面図である。
【図６】図６は、可動フード側の延伸部材の正面図である。
【図７】図７は、延伸部材の側面図である。
【図８】図８は、縮径部材の正面図である。
【図９】図9は、縮径部材の側面図である。
【発明を実施するための形態】
【０００８】
以下に本発明のリールシートの実施形態について図に基づいて説明する。
図１及び図２は、本実施形態のリールシートを示す図であり、図１は外観図、図２は断面図である。
図１及び図２に示す本実施形態のリールシート１は、釣竿が挿通する筒状の本体２と、本体２の両側に延伸した一対の延伸部材１１と、延伸部材１１に被せて螺合させる一対の縮径部材４とを備えている。
本体２は、釣竿３０が挿通するプラスチック製の筒状中空部材で、その一端寄りには、本体２に設置するリール脚部の一端を挿入するステンレス製の固定フード５が設置され、他端寄りには、外周に設けた雄螺子８に螺合して移動するプラスチック製の螺子環７と、その螺子環７に回動自在に嵌合し、リール脚部の他端に被さるステンレス製の可動フード６が設けられている。
また、本体２の外面には、長さ方向に、回り止め溝９が形成されており、可動フード６の内面に形成された突起部１０（図に現われていない）がその回り止め溝９に係合する。このため、螺子環７を回すと、螺子環７は本体２外面を移動するが、可動フード６は、内面の突起部１０（図に現われていない）が回り止め溝９に係合しているので、回転せずに移動する。
固定フード５及び可動フード６は、リール脚部が入るように筒形外周の一部が膨らんだ形になるようにステンレスを成型加工する。
そして、リール脚部をリールシートに固定するときは、先ず、固定フード５にリール脚部の一端を挿入し、次に螺子環７を回して可動フード６がリール脚部の他端に被さり、回すのがきつくなるまで螺子環７を回す。
【０００９】
図３及び図４は、螺子環に嵌合する可動フードを示す図であり、図３は正面図、図４は側面図である。
図３及び図４に示す可動フード６は、周面の一部が外側に拡張した略円筒形のステンレス製部材である。
螺子環７は、プラスチック製の環状部材で、内周面に雄螺子８に螺合する雌螺子が形成されている。
可動フード６は、螺子環７に嵌合しているが、互いに独立して回動する。
可動フード６の周面の外側に拡張した部分は、リール脚部に被さる被せフード６aで、その被せフード６aとは反対側の内周面には、回り止め溝９に係合する突起部１０が形成されている。このため、螺子環７を移動させるために回転させても、可動フード６は回転しないが、螺子環７と一体となって移動する。螺子環７の外周には、指が引っかかる多数の突起７aが設けてあるので、螺子環７を強く回すことができる。それによって、固定フード５と可動フード６とでリール脚部をしっかり挟持し、リールをリールシート１に固定することができる。
【００１０】
本実施形態のリールシート１は、筒状をなした本体２の両側に延伸した一対の延伸部材１１と、延伸部材１１に被せて螺合する一対の縮径部材４とを備えており、これらによって、接着剤などを用いることなく釣竿にしっかりと固定できる上、取り付け位置を移動することも、釣竿から取り外すことも簡単にできる。
図５〜図７は、延伸部材を示す図であり、図５は固定フード側の延伸部材の正面図、図６は、可動フード側の延伸部材の正面図、図７は、延伸部材の側面図である。
図５及び図６に示す延伸部材１１は、リールシートの一部として本体２と一体形成されたものであり、先端にゆくほど外径が小さくなる中空の緩斜部１２と、緩斜部１２よりも本体２側で、外径が均一な中空の雄螺子部１４とを有する。そして、雄螺子部１４の外面には、縮径部材４が螺合する雄螺子８が形成されている。
なお、螺子環７が移動する可動フード６（図示していない）側の本体２外周には、螺子環７（図示していない）が螺合する雄螺子８が、中央部まで形成されている。また、本体２外面の長さ方向には、可動フード６（図示していない）の内面に形成された突起部１０（図示していない）が係合する回り止め溝９が形成されている。
図7に側面を示す延伸部材１１は、内側に緩斜部１２が形成され、その外側に雄螺子部１４が形成されている。緩斜部１２は、先端寄りを長さ方向に切り欠いた切欠き溝１３が周面の対称な位置に２か所設けてある。従って、延伸部材１１に被せた縮径部材４が回転すると緩斜部１２の先端がすぼまって、釣竿に密着するので、その摩擦力で延伸部材１１が釣竿を摺動するのを阻止し、リールシート１が釣竿３０に固定される。
【００１１】
図８及び図９は、縮径部材を示す図であり、図８は縮径部材の正面図、図9は縮径部材の側面図である。
図８及び図９に示す縮径部材４は、プラスチック製の中空部材で、一端寄りには、内周面に雄螺子部１３に螺合する雌螺子が形成された螺合部１５があり、他端４ａ寄りには、端に近いほど外径及び内径が小さくなっている。そして、他端４ａの内径は、釣竿３０の外径よりも大きくなっているので、縮径部材４は、釣竿３０を挿通させる。しかし、その先端の内径は、緩斜部１２先端の外径よりも小さくなっているので縮径部材４を延伸部材３に被せて回転させると、切欠き溝１３のある緩斜部１２の先端がすぼまり、釣竿に密着するので、その摩擦力で筒状部材１の移動が阻止される。ここで、緩斜部１２のテーパをできるだけ小さくすれば、釣竿３０に密着する面積が大きくなり、摩擦力が増大するので、好ましい。また、緩斜部１２の切欠き溝１３は、必ずしも２か所に限定する必要はなく、周面の対称な位置に設ければいくつでもよい。ただし、切欠き溝１３があまり多くなると、かえって摩擦力が低下するので、３乃至４か所程度にすることが好ましい。
本実施形態のリールシート２０は、本体２の両側それぞれに、一対の延伸部材３を設けているが、延伸部材３は、左右同形である必要はない。また、本体２の両側それぞれに設ける必要はなく、何れか一方に設けてもよい。
ただし、左右同形にすれば、縮径部材４が同一のものでよいので、コストを抑えることができる。また、何れか一方にすれば、コストを抑えられるが、摩擦力が低下するので、リールシート２０に固定するリールの大きさや重量を考慮する必要がある。また、本実施形態のリールシート２０は、固定フード５及び被せフード６ａはステンレスで成形され、本体２、延伸部材１１、縮径部材４は、プラスチックで成形されているが、必ずしもそれらの材料に限定する必要はなく、アルミニュームなどの金属や炭素繊維などを用いることもできる。
【符号の説明】
【００１２】
１    リールシート
２    本体
３    延伸部材
４    縮径部材
４ａ  他端
５    固定フード
６    可動フード
６a    被せフード
７    螺子環
７a   突起
８    雄螺子
９    回り止め溝
１０  突起部
１１  延伸部材
１２  緩斜部
１３  切欠き溝
１４  雄螺子
１５  螺合部
３０  釣竿  
【図１】
2020202779.tif 000003
【図２】
2020202779.tif 000004
【図３】
2020202779.tif 000005
【図４】
2020202779.tif 000006
【図５】
2020202779.tif 000007
【図６】
2020202779.tif 000008
【図７】
2020202779.tif 000009
【図８】
2020202779.tif 000010
【図９】
2020202779.tif 000011